(57)【特許請求の範囲】
【請求項１】
扉の内面の反ヒンジ側に上下動自在に装着する連結材と、該連結材に連動する複数の閂部材と、扉の表面に配設し、前記連結材を駆動する開閉ハンドルとを備えてなり、前記連結材は、下部が斜めに屈曲する縦長の長孔を前記各閂部材に対応させて形成し、前記各閂部材は、前記長孔に係合する係合ピンを後部に付設し、扉の内面に固定するガイドブロックを摺動自在に貫通するとともに、扉の内面に固定するガイドプレートの横長の長孔に前記係合ピンを係合させて前部、後部を案内し、前記連結材を下降させることによって一斉にロック位置に前進し、前記連結材を上昇させることによって一斉に解放位置に後退することを特徴とする金庫の扉施錠装置。
【請求項２】
前記各閂部材に対応してガードブロックを扉の内面に付設することを特徴とする請求項１記載の金庫の扉施錠装置。
【請求項３】
前記連結材には、前記ガードブロックに対応してスペーサブロックを付設することを特徴とする請求項２記載の金庫の扉施錠装置。
【請求項４】
前記連結材は、ダイヤル錠を介して上昇を規制することを特徴とする請求項１ないし請求項３のいずれか記載の金庫の扉施錠装置。
【発明の詳細な説明】
【０００１】
【発明の属する技術分野】
この発明は、防盗性能を一層向上させることができる金庫の扉施錠装置に関する。
【０００２】
【従来の技術】
金庫（一般的な金庫の他、自動現金支払機に内蔵する現金収納庫等を含む。以下同じ）の扉は、外部からの破壊活動に十分耐え得る強度が必要である。そこで、かかる金庫の扉は、頑丈な閂部材を備える扉施錠装置を介して施錠するのが普通である。
【０００３】
従来の扉施錠装置は、複数の閂部材を突設する連結材と、連結ロッドを介して連結材を駆動する開閉ハンドルと、連結材の運動を規制するダイヤル錠とを設けて構成されている。そこで、このものは、ダイヤル錠を解錠し、開閉ハンドルを解放方向に操作することにより、連結ロッド、連結材を介して複数の閂部材を一斉に解放位置に後退させることができ、開閉ハンドルを逆方向に操作することにより、閂部材を一斉にロック位置に前進させることができる。すなわち、連結材は、開閉ハンドルを正逆に回転操作することにより、連結ロッドを介して扉の幅方向に平行移動させることができ、閂部材は、連結材に対して一体に組み立てられており、連結材とともに前後動し、解放位置、ロック位置に移動させることができる。
【０００４】
【発明が解決しようとする課題】
かかる従来技術によるときは、各閂部材は、連結材と一体に組み立てられており、連結材の移動方向と同一方向に移動するから、何らかの方法により、１本の閂部材が外部からの力によって解放方向に強制的に移動させられると、連結材を介して他の閂部材も一斉に解放方向に移動させられて扉が開放可能となり、複数の閂部材を設けているにも拘らず、十分な防盗性能を発揮することができない場合があるという問題があった。
【０００５】
そこで、この発明の目的は、かかる従来技術の問題に鑑み、連結材の移動方向を扉の上下方向にするとともに、閂部材と連結材との機械的な一体性を排除することによって、必要十分な防盗性能を簡単に実現することができる金庫の扉施錠装置を提供することにある。
【０００６】
【課題を解決するための手段】
かかる目的を達成するためのこの発明の構成は、扉の内面の反ヒンジ側に上下動自在に装着する連結材と、連結材に連動する複数の閂部材と、扉の表面に配設し、連結材を駆動する開閉ハンドルとを備えてなり、連結材は、下部が斜めに屈曲する縦長の長孔を各閂部材に対応させて形成し、各閂部材は、長孔に係合する係合ピンを後部に付設し、扉の内面に固定するガイドブロックを摺動自在に貫通するとともに、扉の内面に固定するガイドプレートの横長の長孔に係合ピンを係合させて前部、後部を案内し、連結材を下降させることによって一斉にロック位置に前進し、連結材を上昇させることによって一斉に解放位置に後退することをその要旨とする。
【０００７】
なお、各閂部材に対応してガードブロックを扉の内面に付設してもよい。
【０００８】
また、連結材には、ガードブロックに対応してスペーサブロックを付設してもよい。
【０００９】
さらに、連結材は、ダイヤル錠を介して上昇を規制することができる。
【００１０】
【作用】
かかる発明の構成によるときは、複数の閂部材は、連結材に連動するが、連結材と一体ではなく、連結材と別部材であり、両者の移動方向が同一方向ではない。そこで、各閂部材は、外力による破壊活動に対し、各別に防盗性能を発揮することができ、１本に対する破壊活動が連結材を介して他に及ぶことがない。
【００１１】
また、連結材は、下降することによって閂部材をロック位置に前進させるから、閂部材を解放位置に駆動するには、重力に抗して連結材を上昇させなければならず、全体は、本質的に安全側に構成されている。
【００１２】
なお、閂部材は、後部に付設する係合ピンが連結材の長孔に係合し、連結材を上下動させることにより、ロック位置に前進させ、解放位置に後退させることができる。閂部材の係合ピンは、連結材の長孔の斜めの屈曲部分に係合することにより、閂部材を前後に駆動することができるからである。
【００１３】
また、閂部材がガイドブロックを貫通し、係合ピンがガイドプレートの横長の長孔に係合するから、ガイドブロックは、閂部材の前部を案内し、係合ピンは、ガイドプレートの長孔を介して閂部材の後部を案内し、閂部材は、ガイドブロック、係合ピンを介して一層円滑に前後動することができる。
【００１４】
各閂部材に対応してガードブロックを付設すれば、ガードブロックは、閂部材に対する直接的な破壊活動を困難にし、閂部材を一層有効に保護することができる。
【００１５】
ガードブロックに対応してスぺーサブロックを設けるときは、スペーサブロックは、ガードブロックと相俟って、破壊活動による連結材の機械的な変形を小さく抑えることができる。スペーサブロックは、ガードブロックによって許容される連結材のまわりのスペースをさらに小さく制限することができるからである。
【００１６】
ダイヤル錠を介して連結材の上昇を規制すれば、閂部材は、ダイヤル錠を解錠しない限り、連結材を介して解放位置に後退させることが不可能であり、全体としての防盗性能を一層向上させることができる。
【００１７】
【発明の実施の形態】
以下、図面を以って発明の実施の形態を説明する。
【００１８】
金庫の扉施錠装置は、扉Ｄに装着する連結材１１と、連結材１１に連動する複数の閂部材２１、２１…と、連結材１１を駆動する開閉ハンドル３１とを主要部材としてなる（図１、図２）。
【００１９】
扉Ｄは、金庫Ｓの前面の開口部に適合する頑丈な板材であって、ヒンジＤ１  、Ｄ１  を介して金庫Ｓに取り付けられている。扉ＤのヒンジＤ１  、Ｄ１  側の内面には、断面Ｌ字状の保護部材Ｄ２  が装着されており、金庫Ｓの内側面のヒンジＤ１  、Ｄ１  側には、リブ部材Ｓ１  が装着されている。そこで、扉ＤがヒンジＤ１  、Ｄ１  を介して開放状態から閉鎖状態に回転すると（図３の実線と二点鎖線）、保護部材Ｄ２  が、扉Ｄを介してリブ部材Ｓ１  を囲むように位置し、金庫Ｓは、扉Ｄが閉じているときにヒンジＤ１  、Ｄ１  を破壊されたとしても、扉ＤのヒンジＤ１  、Ｄ１  側が金庫Ｓから外れることがない。
【００２０】
なお、金庫Ｓの内側面の反ヒンジ側には、受け部材Ｓ２  が装着されており（図２）、受け部材Ｓ２  には、扉Ｄ側の閂部材２１、２１…に対応して係合穴Ｓ２ａ、Ｓ２ａ…が形成されている。また、扉Ｄの反ヒンジ側の表面には、開閉ハンドル３１、ダイヤル錠３２が組み込まれている。
【００２１】
連結材１１は、縦長の板材であって（図１、図４）、扉Ｄの内面の反ヒンジ側に上下動自在に装着されている。連結材１１の上端部、中間部、下端部には、下部がヒンジＤ１  、Ｄ１  側に斜めに屈曲する縦長の長孔１１ａ、１１ａ…が形成されており、長孔１１ａ、１１ａ…の間には、縦長のガイド孔１１ｂ、１１ｂが形成されている。なお、連結材１１の下方には、ストッパ１２が扉Ｄの内面に突設されており（図１、図５）、ストッパ１２の上面には、緩衝材１２ａが敷設されている。
【００２２】
連結材１１は、ガイド孔１１ｂ、１１ｂを介してボルト１１ｃ、１１ｃを扉Ｄの内面に固定するボス１１ｄ、１１ｄにねじ込むことにより（図４、図５）、扉Ｄの内面に上下動自在に取り付けられている。各ボルト１１ｃには、スプリングワッシャ１１ｃ１  、ワッシャ１１ｃ２  を介して、ガイド孔１１ｂ内を上下に移動するカラー１１ｃ３  が回転自在に装着されており（図４、図６）、カラー１１ｃ３  は、連結材１１の厚さより僅かに長くなっている。ボルト１１ｃ、１１ｃは、ワッシャ１１ｃ２  、１１ｃ２  を介して連結材１１を扉Ｄに対して外れ止めするとともに、ガイド孔１１ｂ、１１ｂを介して連結材１１を上下にガイドすることができ、ストッパ１２は、下降限の連結材１１を支持することができる。
【００２３】
閂部材２１、２１…は、それぞれ、後部にねじ孔２１ａを形成する丸棒材であり（図４、図７）、後部の周側面は、ねじ孔２１ａに対応して平行平面に仕上げられている。各閂部材２１は、扉Ｄの内面に突設するガイドブロック２２の孔２２ａを摺動自在に貫通しており、ガイドブロック２２に保持されてロック位置と解放位置とに前後動することができる（図７の実線と二点鎖線）。なお、各閂部材２１には、ねじ孔２１ａに適合するボルト状の係合ピン２３がスプリングワッシャ２３ａを介してねじ込まれており、係合ピン２３は、中間部が連結材１１の長孔１１ａに係合し、先端部が、扉Ｄの内面に固定するガイドプレート２４の横長の長孔２４ａに係合している。ガイドプレート２４は、長孔２４ａ、係合ピン２３を介して閂部材２１の後部を支持し、ガイドブロック２２とともに、長孔２４ａ、係合ピン２３を介して閂部材２１の移動方向を前後方向に規制している。
【００２４】
各閂部材２１の後方には、スペーサブロック２５、ガードブロック２６が設けられている。スペーサブロック２５は、長孔１１ａの上端部に対応するようにして連結材１１上に取り付けられており、ガードブロック２６は、Ｌ字状に形成され、下降限にある連結材１１上のスペーサブロック２５の後面と上面とを囲むようにして、扉Ｄの内面に立設されている。
【００２５】
開閉ハンドル３１は、把手３１ａを前面側に有する（図２、図８）。また、開閉ハンドル３１は、扉Ｄを貫通して把手３１ａとともに回転する軸３１ｂを有し、扉Ｄの内面には、軸３１ｂを回転自在に支持する軸受３１ｂ１  が装着されている（図４、図８）。なお、軸３１ｂの軸端は、ねじ孔３１ｂ２  を軸方向に有する角柱状に仕上げられている。軸３１ｂには、大径のワッシャ３１ｃ２  、スプリングワッシャ３１ｃ３  、止めねじ３１ｃ４  を介し、軸３１ｂの軸端に適合する角孔３１ｃ１  を一端側に有するリンクプレート３１ｃが連結されており、リンクプレート３１ｃの他端側には、駆動ピン３１ｄが立設されている。
【００２６】
駆動ピン３１ｄは、連結材１１に装着するコ字状の駆動プレート３１ｅに形成する横長の長孔３１ｅ１  に係合している。なお、長孔３１ｅ１  の長さは、リンクプレート３１ｃの角孔３１ｃ１  から駆動ピン３１ｄまでの長さに対応している。そこで、開閉ハンドル３１の把手３１ａを正逆に９０゜回転操作すると（図８の実線と二点鎖線）、リンクプレート３１ｃは、軸３１ｂを介して水平位置から垂直位置の範囲に正逆に回転させることができ、このとき、リンクプレート３１ｃ上の駆動ピン３１ｄは、長孔３１ｅ１  に係合し、駆動プレート３１ｅを介して連結材１１を上下に駆動することができる。すなわち、連結材１１は、開閉ハンドル３１を介してリンクプレート３１ｃを水平位置（図４）に駆動するより、下降限に下降させることができ、リンクプレート３１ｃを水平位置から垂直位置に起立させることにより、上昇限に上昇させることができる。
【００２７】
ダイヤル錠３２には、連結材１１に向けて出没するデッドボルト３２ａが組み込まれており（図５、図９）、連結材１１上には、スペーサブロック２５と同様のロックブロック３２ｂが固定されている。なお、ロックブロック３２ｂは、連結材１１が下降限にあるとき、デッドボルト３２ａの直近下方に位置するものとする。すなわち、ダイヤル錠３２は、施錠してデッドボルト３２ａをロックブロック３２ｂの上方に突出させることにより、連結材１１の上昇を阻止することができ、解錠してデッドボルト３２ａを後退させることにより、連結材１１の上昇を許容することができる。扉Ｄの内面には、デッドボルト３２ａ、ロックブロック３２ｂを囲むようにして、Ｌ字状のガードブロック３２ｃが立設されている。
【００２８】
かかる金庫の扉施錠装置は、次のようにして作動する。
【００２９】
金庫Ｓの扉Ｄが開放状態にあるとき、連結材１１は、開閉ハンドル３１の軸３１ｂを介してリンクプレート３１ｃを垂直位置に回転させることにより、上昇限に駆動されている（図１０（Ａ））。また、このとき、閂部材２１、２１…は、それぞれ対応するガイドロック２２内の解放位置に後退しており、ダイヤル錠３２は、解錠されて、デッドボルト３２ａが十分に後退している（図１１（Ａ））。なお、このときの連結材１１は、リンクプレート３１ｃ、駆動ピン３１ｄ、駆動プレート３１ｅを介し、開閉ハンドル３１の軸３１ｂによって支持されている。
【００３０】
扉Ｄを閉鎖状態にして、開閉ハンドル３１の把手３１ａを介して軸３１ｂを回転させると（図１０（Ａ）の矢印Ｋ１  方向）、リンクプレート３１ｃ、駆動ピン３１ｄは、軸３１ｂに連動して回転し、駆動ピン３１ｄは、長孔３１ｅ１  内を移動して駆動プレート３１ｅを下降させ、駆動プレート３１ｅとともに連結材１１を下方に駆動することができる（同図（Ｂ）の矢印Ｋ２  方向）。なお、このときの連結材１１は、ボルト１１ｃ、１１ｃ、ガイド孔１１ｂ、１１ｂによってガイドされている。一方、このようにして連結材１１が下方に移動すると、連結材１１は、長孔１１ａ、１１ａ…、係合ピン２３、２３…を介して閂部材２１、２１…を一斉に前進させることができる（同図の矢印Ｋ３  方向）。各係合ピン２３は、対応する長孔１１ａの下部の屈曲部分と、ガイドプレート２４の長孔２４ａとの双方に係合することにより、閂部材２１を正しく前方に駆動することができるからである。
【００３１】
さらに、開閉ハンドル３１を介してリンクプレート３１ｃ、駆動ピン３１ｄを回転させると（同図の矢印Ｋ１  方向）、リンクプレート３１ｃ、駆動ピン３１ｄは、最終的に連結材１１を下降限に移動させ（図１０（Ｃ）、図１１（Ｂ））、連結材１１は、閂部材２１、２１…を受け部材Ｓ２  の係合穴Ｓ２ａ、Ｓ２ａ…内のロック位置にまで一斉に前進させ、扉Ｄを閉鎖状態にロックすることができる。なお、このときの連結材１１は、ストッパ１２に当接して停止し、ストッパ１２は、連結材１１を支持することにより、ボルト１１ｃ、１１ｃに連結材１１の重量が加わることを防止する。また、緩衝材１２ａは、連結材１１がストッパ１２に当接する際の当接音を消音する。
【００３２】
閂部材２１、２１…を介して扉Ｄが閉鎖状態にロックされたら、ダイヤル錠３２を施錠操作してデッドボルト３２ａをロックブロック３２ｂ上に突出させることにより（図１１（Ｃ））、連結材１１を下降限に拘束して扉Ｄの施錠を完了する。また、このようにして施錠を完了すると、連結材１１上のスペーサブロック２５、２５…は、それぞれ対応する閂部材２１の後方において、閂部材２１とガードブロック２６との間に位置している（図４、図７）。そこで、各ガードブロック２６は、スペーサブロック２５とともに、外部からの破壊活動によって閂部材２１が不用意に後退したり、連結材１１が過大に変形したりすることを阻止することができる。また、ロックブロック３２ｂは、ダイヤル錠３２のデッドボルト３２ａとともに、ガードブロック３２ｃの内部に位置し（図５、図９）、ガードブロック３２ｃは、ダイヤル錠３２に対する攻撃に対してデッドボルト３２ａや連結材１１を有効に保護することができる。
【００３３】
扉Ｄを開放するときは、ダイヤル錠３２を解錠操作してデッドボルト３２ａを後退させ、連結材１１の上昇を許容する。次いで、開閉ハンドル３１を逆回転して連結材１１を上昇させると、閂部材２１、２１…は、ガイドブロック２２、２２…内の解放位置に後退し、扉Ｄを開放することができる。なお、閂部材２１、２１…は、係合ピン２３、２３…が長孔１１ａ、１１ａ…の上部の直線部分を移動するとき、ロック位置から移動することなく係合穴Ｓ２ａ、Ｓ２ａ…内のロック位置を保ち、係合ピン２３、２３…が長孔１１ａ、１１ａ…の下部の屈曲部分を移動するとき、解放位置に後退する。すなわち、閂部材２１、２１…は、外部からの破壊活動によって連結材１１が僅かに上昇しても、確実にロック位置に停滞し、扉Ｄのロック状態を維持することができる。
【００３４】
【発明の効果】
以上説明したように、この発明によれば、扉の内面に装着する連結材と、連結材に連動する複数の閂部材と、開閉ハンドルとを組み合わせ、連結材の駆動方向と閂部材の移動方向とを異ならせることによって、閂部材は、連結材と別部材であり、閂部材の１本に対する破壊活動が他に及ぶことがない上、閂部材を解放位置に駆動するには重力に抗して連結材を上昇させなければならず、全体として、必要十分な防盗性能を簡単に実現することができるという優れた効果がある。
【図面の簡単な説明】
【図１】全体構成斜視図
【図２】金庫の全体斜視図
【図３】図２の要部拡大断面説明図
【図４】図１の要部拡大分解斜視図
【図５】図１の要部拡大斜視図
【図６】図１のＸ１  −Ｘ１  線矢視相当拡大断面図
【図７】図１のＸ２  −Ｘ２  線矢視相当拡大断面説明図
【図８】図１のＸ３  −Ｘ３  線矢視相当拡大断面図
【図９】図１のＸ４  −Ｘ４  線矢視相当拡大断面図
【図１０】動作説明図（１）
【図１１】動作説明図（２）
【符号の説明】
Ｄ…扉
Ｄ１  …ヒンジ
１１…連結材
１１ａ…長孔
２１…閂部材
２２…ガイドブロック
２３…係合ピン
２４…ガイドプレート
２４ａ…長孔
２５…スぺーサブロック
２６…ガードブロック
３１…開閉ハンドル
３２…ダイヤル錠
【図１】
0003593598.tif 000002
【図２】
0003593598.tif 000003
【図３】
0003593598.tif 000004
【図４】
0003593598.tif 000005
【図５】
0003593598.tif 000006
【図６】
0003593598.tif 000007
【図７】
0003593598.tif 000008
【図８】
0003593598.tif 000009
【図９】
0003593598.tif 000010
【図１０】
0003593598.tif 000011
【図１１】
0003593598.tif 000012